(57)【要約】【課題】  液晶モジュールを有する装置本体の重心の真下又は略真下に、支持脚の下端部を台座に取り付けている横軸を位置させることによって、液晶表示装置全体の重量バランスを安定させる。【解決手段】  液晶モジュール２をキャビネット３に収容させた装置本体１を、台座５から立ち上げられた支持脚６によりチルト調節可能に支えさせる。液晶モジュール２の金属板２２の外背面に支持脚６の取付部６１を重ね合わせてビス止めすることにより、装置本体１の重心Ｇの位置の真下に、支持脚６を台座５に取り付けている横軸７を位置させる。【選択図】        図１
0003111702.tif 000002
【実用新案登録請求の範囲】
【請求項１】
液晶表示パネルを備える液晶モジュールが偏平なキャビネットに収容されている装置本体の上記キャビネットの外背面に、台座から立ち上げられた支持脚の取付部が取り付けられていて、上記装置本体の重心が上記液晶モジュールの占有スペース内に位置している液晶表示装置において、
上記液晶モジュールの外背面が上記液晶表示パネルの背部を覆っている金属板の外背面に相当していて、金属でまっすぐに作られた上記支持脚の取付部を上記金属板の外背面に重ね合わせてビス止めすることによって、上記支持脚の取付部の取付箇所を上記キャビネットの外背面からそのキャビネットの内側の上記液晶モジュールの外背面に変更して上記装置本体の重心位置に水平方向で近付けると共に、上記支持脚によって上記液晶モジュールの重量を受け止めさせてあり、
上記取付部と上記金属板の外背面との間に上記キャビネットにビス止めされた板金でなる板体が挟み込まれ、かつ、上記支持脚の取付部に、上記キャビネットの背壁に内向きに突設されたボスの頂面が重ね合わされて、上記取付部と上記板体とが上記ボスと上記金属板の外背面との間に挟まされて左右２箇所でビス止めされ、
上記板体が下方に延出されていて、その板体の下端部に、上記キャビネットの背壁に内向きに突設された別のボスの頂面が重ね合わされ、上記支持脚がその別のボスと上記板体との間に挾まれて左右２箇所でビス止めされ、
上記支持脚の下端部が、横軸回りにチルト調節可能に上記台座に取り付けられていると共に、上記台座が、上記重心位置の上記チルト調節に伴う前後方向での変位領域全体の下方に配備されてその台座の前後幅が上記変位領域の前後幅よりも長く定められていることを特徴とする液晶表示装置。
【請求項２】
液晶表示パネルを備える液晶モジュールが偏平なキャビネットに収容されている装置本体の上記キャビネットの外背面に、台座から立ち上げられた支持脚の取付部が取り付けられていて、上記装置本体の重心が上記液晶モジュールの占有スペース内に位置している液晶表示装置において、
上記支持脚の取付部の取付箇所を、上記キャビネットの外背面からそのキャビネットの内側の上記液晶モジュールの外背面に変更することによって上記取付箇所を上記装置本体の重心位置に水平方向で近付けると共に、上記支持脚によって上記液晶モジュールの重量を受け止めさせていることを特徴とする液晶表示装置。
【請求項３】
上記液晶モジュールの外背面が上記液晶表示パネルの背部を覆っている金属板の外背面に相当していて、金属でまっすぐに作られた上記支持脚の取付部が上記金属板の外背面に重ね合わされてビス止めされている請求項２に記載した液晶表示装置。
【請求項４】
上記支持脚の取付部に、上記キャビネットの背壁に内向きに突設されたボスの頂面が重ね合わされて、当該取付部がそのボスと上記金属板の外背面との間に挟まされてビス止めされている請求項３に記載した液晶表示装置。
【請求項５】
上記取付部と上記金属板の外背面との間に板金でなる板体が挟み込まれ、その板体が金属板の外背面と上記取付部との間に挾み込まれて上記取付部と共にビス止めされている請求項４に記載した液晶表示装置。
【請求項６】
上記板体が下方に延出されていて、その板体の下端部に、上記キャビネットの背壁に内向きに突設された別のボスの頂面が重ね合わされ、上記支持脚がその別のボスと上記板体との間に挾まれてビス止めされている請求項５に記載した液晶表示装置。
【請求項７】
上記支持脚の下端部が、横軸回りにチルト調節可能に上記台座に取り付けられている請求項２ないし請求項６のいずれか１項に記載した液晶表示装置。
【請求項８】
上記台座が、上記重心位置の上記チルト調節に伴う前後方向での変位領域全体の下方に配備されてその台座の前後幅が上記変位領域の前後幅よりも長く定められている請求項７に記載した液晶表示装置。
【考案の詳細な説明】
【技術分野】
【０００１】
本考案は、液晶表示装置、特に、台座から立ち上げられた支持脚によって、液晶モジュールを備える装置本体が支えられている液晶表示装置に関するものである。
【背景技術】
【０００２】
テレビジョン受像機などに用いられる液晶表示装置の一般的な構成は、液晶表示パネルを備える液晶モジュールを偏平なキャビネットに収容したものであり、キャビネットの前面には、液晶表示パネルの表示面を露出させる窓が備わっている。この種の液晶表示装置では、台座から立ち上げた支持脚によって装置本体を支持させたものがあり、そのものでは、従来、支持脚を上記キャビネットの外背面にビス止めするという構成が採用されていた（たとえば、特許文献１参照）。また、Ｕ字形に形成した支持脚をキャビネットの下部に嵌め込んでキャビネットの側面にチルト調節可能に取り付けるというものも提案されていた（たとえば、特許文献２参照）。
【０００３】
一方、図５（Ａ）（Ｂ）は他の液晶表示装置を例示したものであり、この液晶表示装置では、仮想線で示した台座５からまっすぐな支持脚６が立ち上げられ、その支持脚６の上端部に形成されている取付部６１が、装置本体１のキャビネット３の外背面にビス止めされている。６２は取付けビスを示している。支持脚６の下端部は、横軸７の回りにチルト調節可能に台座５に取り付けられていて、そのチルト調節機能を利用することによって装置本体１を前後に傾いた傾斜姿勢に調節したり垂直に起立した垂直姿勢に調節したりすることが可能になっている。また、同図（Ｂ）に示した台座５の前後幅Ｌ１には、装置本体１を傾斜姿勢に調節したときでも全体が倒れない長さが確保されている。
【０００４】
この液晶表示装置において、装置本体１は、液晶表示パネル２１を備える液晶モジュール２とこの液晶モジュール２を収容している上記キャビネット３とを備えている。そして、液晶モジュール２には、上記液晶表示パネル２１のほか、バックライトユニット、制御基板、液晶表示パネル２１の周囲及び背部を取り囲んで電磁障害（ＥＭＩ）を防ぐための金属板２２などが含まれている。また、キャビネット３は液晶モジュール２を保持しているフロントカバー３１とそのフロントカバー３１に取り付けられたリアカバー３５とに分かれていて、フロントカバー３１には図示していないスピーカなどが取り付けられている。このため、この液晶表示装置の重心Ｇが重量の重い液晶表示モジュール２の占有スペース内に位置してキャビネット３の背面の支持脚６との取付箇所からは前方に離れ、その重心Ｇに加わる荷重（重量）Ｆによって、支持脚６には比較的大きな前倒れ荷重が常時加わったままになっている。
【０００５】
また、図５（Ａ）（Ｂ）によって例示した構成の液晶表示装置では、液晶モジュール２の金属板２２の背面側にも制御基板（不図示）が取り付けられていて、この制御基板に、支持脚６の取付部６１をキャビネット３の背面に取り付けている取付けビス６２が比較的接近している。そこで、支持脚６や取付けビス６２から静電気がその制御基板に放電して不慮のショートを発生するという事態を防ぐために、アース対策としてのアーススプリング（不図示）を取り付けるという対策を余分に講じていた。
【特許文献１】特開２００３−１５５４２号公報
【特許文献２】特開平８−２８９２３０号公報
【考案の開示】
【考案が解決しようとする課題】
【０００６】
しかしながら、図５を参照して説明したように、装置本体１の重心Ｇが、キャビネット３と支持脚６との取付け箇所から前方に離れた液晶モジュール２の占有スペース内に位置しているものでは、装置本体１を前後に揺らしたときにその揺れがなかなか止まらないことがあるという問題や、キャビネット３が樹脂成形体であることなどにより高温時に装置本体１が前に傾くおそれがあるという問題があるほか、同図（Ｂ）のようにチルト調節して装置本体１を前傾させたときでも液晶表示装置が倒れないようにしておくために、台座５の前後幅Ｌ１を長くしておく必要があり、それだけ台座５が大形化して広い設置スペースが必要になるだけでなく、梱包なども大きくなって輸送コストも高くつくという問題がある。
【０００７】
これらの問題を解決するためには、たとえば支持脚６をクランク型に曲がった構造として重心Ｇの真下に横軸７を配備することが有効であるとも考えられるが、そのようにすると、支持脚６が大形化するだけでなく、その製作コストが高くつくという不都合や支持脚６によって液晶表示装置の全体重量が重くなってその軽量化が阻害されるという不都合を生じる。
【０００８】
一方、上掲の特許文献１によって提案されているものは、支持脚を上記キャビネットの外背面にビス止めするという点で、図５を参照して説明した事例と軌を一にしているので、同図の事例と同様の問題がある。また、特許文献２によって提案されているものは、Ｕ字形の支持脚の上端部をキャビネットの側面に取り付けてチルト調節可能としたものであるので、前倒れ荷重は加わりにくいということが云える反面で、支持脚の横幅が大きくなって支持脚が大形化するという問題がある。
【０００９】
本考案は以上の問題や状況を改善することを課題としてなされたものであり、支持脚にまっすぐな形状を採用していながら、装置本体の重心の真下又は略真下に、支持脚の下端部を台座に取り付けている横軸を位置させることのできる対策を講じることによって、装置本体の揺れがなかなか止まらないことがあるという問題や高温時に装置本体が前に傾くおそれがあるという問題、台座の前後幅を長くする必要があるために広い設置スペースが必要になったり輸送コストが高くつくという問題などを改善することのできる液晶表示装置を提供することを目的とする。
【００１０】
また、本考案は、支持脚を液晶モジュールの金属板に接触させておくことのできる構成を採用することによって、上記したアーススプリングを省略することのできる液晶表示装置を提供することを目的とする。
【課題を解決するための手段】
【００１１】
本考案に係る液晶表示装置は、液晶表示パネルを備える液晶モジュールが偏平なキャビネットに収容されている装置本体の上記キャビネットの外背面に、台座から立ち上げられた支持脚の取付部が取り付けられていて、上記装置本体の重心が上記液晶モジュールの占有スペース内に位置している液晶表示装置において、上記支持脚の取付部の取付箇所を、上記キャビネットの外背面からそのキャビネットの内側の上記液晶モジュールの外背面に変更することによって上記取付箇所を上記装置本体の重心位置に水平方向で近付けると共に、上記支持脚によって上記液晶モジュールの重量を受け止めさせている、というものである。
【００１２】
この構成であれば、装置本体の重心の位置と支持脚の取付箇所とが水平方向で図５の場合よりも近付くために、支持脚や装置本体に加わる前倒れ荷重が小さく抑えられて装置本体が揺れにくくなると共に、高温時に装置本体が前に傾くおそれもなくなる。また、台座の着座状態が安定して台座の前後幅を図５の場合よりも短くすることが可能になるので、設置スペースが狭くて済み、梱包などをコンパクトに形作って輸送コストを抑えることが可能になる。
【００１３】
本考案では、上記液晶モジュールの外背面が上記液晶表示パネルの背部を覆っている金属板の外背面に相当していて、金属でまっすぐに作られた上記支持脚の取付部が上記金属板の外背面に重ね合わされてビス止めされていることが望ましい。これによれば、装置本体１の重心位置の真下又は略真下に支持脚を支える横軸が位置するようになるので、支持脚や装置本体に加わる前倒れ荷重が小さく抑えられて記述した各作用が発揮されるほか、液晶モジュールの外背面に相当している金属板の外背面に金属製の支持脚が接触しているために、その支持脚や取付けビスから静電気が制御基板に放電して不慮のショートを発生するという事態が未然に防止される。
【００１４】
本考案では、上記支持脚の取付部に、上記キャビネットの背壁に内向きに突設されたボスの頂面が重ね合わされて、当該取付部がそのボスと上記金属板の外背面との間に挟まされてビス止めされていることが望ましい。これによれば、支持脚の上記取付部によって受け止められる装置本体の重量が、金属板とキャビネットとに分散してその取付部に負荷されるようになるので、金属板に無理な力が加わってその金属板が変形するといった事態の起こることが防止される。
【００１５】
本考案では、上記取付部と上記金属板の外背面との間に板金でなる板体が挟み込まれ、その板体が金属板の外背面と上記取付部との間に挾み込まれて上記取付部と共にビス止めされていることが望ましい。これによれば、金属板が板体により保形ないし補強されるためにその金属板の変形が確実に防止される。
【００１６】
本考案では、上記板体が下方に延出されていて、その板体の下端部に、上記キャビネットの背壁に内向きに突設された別のボスの頂面が重ね合わされ、上記支持脚がその別のボスと上記板体との間に挾まれてビス止めされている、という構成を採用することも可能であり、これによれば、キャビネットが上下２箇所で支持脚に固定されてキャビネットの取付け状態が安定し、併せて装置本体の揺れも起こりにくくなる。
【００１７】
本考案では、上記支持脚の下端部が、横軸回りにチルト調節可能に上記台座に取り付けられている、という構成を採用することが可能であり、これによれば、装置本体のチルト調整が可能になる。
【００１８】
本考案では、上記台座が、上記重心位置の上記チルト調節に伴う前後方向での変位領域全体の下方に配備されてその台座の前後幅が上記変位領域の前後幅よりも長く定められていることが望ましい。これによれば、チルト調節した場合でも台座の着座状態が安定する。また、台座の前後幅が上記重心位置の変位領域の前後幅より長く定められているとしても、装置本体の重心の位置と支持脚の取付箇所とが水平方向で図５の場合よりも近付いているために、その台座の前後幅は図５を参照して説明したものよりも短くて済む。
【００１９】
本考案に係る液晶表示装置は、下記構成を採用することによっていっそう具体化される。すなわち、液晶表示パネルを備える液晶モジュールが偏平なキャビネットに収容されている装置本体の上記キャビネットの外背面に、台座から立ち上げられた支持脚の取付部が取り付けられていて、上記装置本体の重心が上記液晶モジュールの占有スペース内に位置している液晶表示装置において、上記液晶モジュールの外背面が上記液晶表示パネルの背部を覆っている金属板の外背面に相当していて、金属でまっすぐに作られた上記支持脚の取付部を上記金属板の外背面に重ね合わせてビス止めすることによって、上記支持脚の取付部の取付箇所を上記キャビネットの外背面からそのキャビネットの内側の上記液晶モジュールの外背面に変更して上記装置本体の重心位置に水平方向で近付けると共に、上記支持脚によって上記液晶モジュールの重量を受け止めさせてあり、上記取付部と上記金属板の外背面との間に上記キャビネットにビス止めされた板金でなる板体が挟み込まれ、かつ、上記支持脚の取付部に、上記キャビネットの背壁に内向きに突設されたボスの頂面が重ね合わされて、上記取付部と上記板体とが上記ボスと上記金属板の外背面との間に挟まされて左右２箇所でビス止めされ、上記板体が下方に延出されていて、その板体の下端部に、上記キャビネットの背壁に内向きに突設された別のボスの頂面が重ね合わされ、上記支持脚がその別のボスと上記板体との間に挾まれて左右２箇所でビス止めされ、上記支持脚の下端部が、横軸回りにチルト調節可能に上記台座に取り付けられていると共に、上記台座が、上記重心位置の上記チルト調節に伴う前後方向での変位領域全体の下方に配備されてその台座の前後幅が上記変位領域の前後幅よりも長く定められている、という構成を採用することによっていっそう具体化される。この考案の作用などについては後述する実施形態を参照して詳細に説明する。
【考案の効果】
【００２０】
本考案によれば、支持脚にまっすぐな形状を採用していながら、装置本体の重心の真下又は略真下に、支持脚の下端部を台座に取り付けている横軸が位置しているので、当該液晶表示装置全体の重量バランスが安定し、装置本体を揺らした場合でもその揺れが速やかに止まるようになってユーザにとっての使い勝手が向上するだけでなく、高温時（高温試験時）に装置本体が前に傾くおそれがなくなる。また、台座の前後幅を短くしてその小形化を図りやすいので、設置スペースが狭くて済むという利点や、梱包を小さくして輸送コストを安く抑えることができるという利点がある。さらに、支持脚が液晶モジュールの金属板に接触しているので、冒頭に記載したアーススプリングを省略して部品点数の削減によるコストダウンを図にやすくなるという利点もある。
【考案を実施するための最良の形態】
【００２１】
図１（Ａ）（Ｂ）は本考案の液晶表示装置の作用を説明するための概略側面図、図２は実施形態の主要構成要素を示した分解斜視図、図３は同液晶表示装置の要部破断側面図、図４は図３のＩＶ部拡大図である。
【００２２】
図１に示した液晶表示装置において、台座５には横軸７を介してまっすぐに立ち上がった板金製の支持脚６が取り付けられていると共に、その支持脚６が偏平なキャビネット３の下部からその内部に挿入されてその上端部の取付部６１がキャビネット３の内部で液晶モジュール２の金属板２２の外背面にビス止めされている。６３は取付けビスである。液晶モジュール２やキャビネット３の構成は、図５（Ａ）（Ｂ）を参照して説明したところと同様であるので、同一部分に同一符号を付して詳細な説明を省略する。
【００２３】
この液晶表示装置では、液晶モジュール２の重量が重いために装置本体１の重心Ｇが液晶モジュール２の占有スペース内に位置しているけれども、支持脚６の上端部の取付部６１を、液晶モジュール２の外背面に相当している金属板２２の外背面に取り付けてあるので、その取付箇所が図５の場合に比べて重心Ｇの位置に水平方向で近付いていて、装置本体１の重量が支持脚６によって受け止められるようになっている。そのため、装置本体１が起立姿勢になっているときには、装置本体１の重心Ｇの位置の真下又は略真下に、図１（Ａ）のように支持脚６の台座５に取り付けている横軸６が位置するようになり、そのことが、重心Ｇに加わる荷重（重量）Ｆに起因する支持脚６や装置本体１に加わる前倒れ荷重を小さく抑えて装置本体１を揺れにくくすることに役立つだけでなく、高温試験などにおいて装置本体１が前に傾くおそれをなくすることに役立つ。また、図１（Ｂ）のようにチルト調節を行って装置本体１を前傾姿勢にしたときや、図示していない後傾姿勢（反返り姿勢）にしたときに重心Ｇの位置が前又は後に移行してその重心Ｇが横軸７から水平ほうこう離れるけれども、その場合でも、重心Ｇが横軸７から図５（Ｂ）のように水平方向に大きく離れてしまうことがなくなるので、チルト調節の際の重心Ｇの変位領域全体の下方に配備された台座５の前後幅Ｌを図５（Ｂ）に示した前後幅（Ｌ１）よりも短くしても台座５の着座状態を安定させることが可能である。したがって、台座５の前後幅Ｌを図５の場合よりも短くしておくことによって、その設置スペースが狭くて済み、しかも、梱包などをコンパクトに形作って輸送コストを抑えることが可能になる。
【００２４】
次に、図２〜図４を参照してより具体的な実施形態を説明する。
【００２５】
図２のように、台座５にチルト調節可能に前後に傾動するように支持脚６が取り付けられている。これに対し、装置本体１は、窓３２を形成しているフロントカバー３１とリアカバー３５とを合わせることによって形成される偏平なキャビネット３の内部にフロントカバー３１によって保持される液晶モジュール２が収容されると共に、図示していない制御基板やスピーカ８などの必要部品が収容される。液晶モジュール２は液晶表示パネル２１（図３参照）やバックライトユニット（不図示）、液晶表示パネル２１の周囲や背部を取り囲んで電磁障害（ＥＭＩ）を防ぐための金属板２２などを備えていて、その金属板２２の外背面側には制御基板２３（図３参照）が取り付けられる。
【００２６】
図３及び図４に示したよう、支持脚６は、リアカバー３５の下板部分３５ａに形成された開口３６からキャビネット３内に挿入されている。そして、支持脚６の上端部の取付部６１と上記金属板２２の外背面の下端部との間に板金でなる板体９が挾み込まれ、かつ、その取付け部６１にリアカバー３５の背壁に内向きに突設されたボス３７の頂面３７ａが重ね合わされて、それらの重なり箇所が左右２箇所でビス止めされている。図４において、６３は取付けビス、３７ｂ，６４，９１はそれぞれビス挿通孔、２４は金属板２２に形成した円錐状の膨出部にバーリング加工によって形成されたねじ孔である。また、板体９は下方に延出されていて、その板体９の下端部とリアカバー３５の背壁に内向きに突設された別のボス３８との間に取付部６１が挾まれて左右２箇所でビス止めされている。図４において、６５は取付けビス、３８ｂ，６６はそれぞれビス挿通孔、９２はバーリング加工によって形成されたねじ孔である。ここで、上記板体９は、図２で判るように、その左右２箇所が、取付けビス９３，９３を用いてリアカバー３５にビス止めされている。
【００２７】
支持脚６が金属板２２及びリアカバー２５に板体９を介して上記の構造で取り付けられていると、装置本体１の重量が上側２本の取付けビス６３と下側２本の取付けビス６５とによって受け止められる。そして、上側の左右２本の取付けビス６３に金属板２２とリアカバー３５との両方に分散した荷重が負荷され、併せて、下側の左右２本の取付けビス６５にリアカバー３５と板体９とに分散した荷重が負荷されるので、金属板２２だけに大きな荷重が加わることが抑制され、その上、金属板２２は板体９によっても保形されているために、金属板２２に電磁障害（ＥＭＩ）を防ぐための薄肉の板金が用いられているとしても、その金属板２２がビス止め箇所で変形したりするおそれはない。
【００２８】
この実施形態によると、液晶モジュール２の金属板２２が板体９や取付けビス６３を介して支持脚６１に電気的に接続されるために、支持脚６や取付けビス６２から静電気がその制御基板に放電して不慮のショートを発生するという事態が防止される。
【００２９】
図２〜図４を参照して説明した支持脚６と装置本体１との取付構造では、支持脚６の取付部６１と金属板２２との間に板体９を介在させて金属板２２を保形を行っているけれども、この板体９を省略して支持脚６の取付部６１を金属板２２に直接にビス止めすることも可能である。
【図面の簡単な説明】
【００３０】
【図１】（Ａ）は本考案の液晶表示装置において、装置本体が垂直姿勢に調節されている状態での作用を説明するための概略側面図、（Ｂ）は装置本体が前傾姿勢に調節されている状態での作用を説明するための概略側面図である。
【図２】同液晶表示装置の実施形態の主要構成要素を示した分解斜視図である。
【図３】同液晶表示装置の要部破断側面図である。
【図４】図３のＩＶ部拡大図である。
【図５】（Ａ）は従来の液晶表示装置において、装置本体が垂直姿勢に調節されている状態での作用を説明するための概略側面図、（Ｂ）は装置本体が前傾姿勢に調節されている状態での作用を説明するための概略側面図である。
【符号の説明】
【００３１】
１  装置本体
２  液晶モジュール
３  キャビネット
５  台座
６  支持脚
７  横軸
９  板体
２１  液晶表示パネル
２２  金属板
３７  ボス
３７ａ  ボスの頂面
３８  別のボス
６１  取付部
Ｇ  装置本体の重心
【図１】
0003111702.tif 000003
【図２】
0003111702.tif 000004
【図３】
0003111702.tif 000005
【図４】
0003111702.tif 000006
【図５】
0003111702.tif 000007